【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
矩形のモップヘッドと、該モップヘッドに連結装置で連結されたモップ柄と、を有し、
前記モップヘッドは、脱水カゴを備えた洗浄バケツの該脱水カゴに収容可能な大きさであり、かつ前記脱水カゴに回転可能に軸支する部分を有している事を特徴とする清掃モップ。
【請求項２】
前記モップヘッドの上面部に、前記モップ柄が傾倒したときの逃げ凹部を形成した事を特徴とする請求項1に記載の清掃モップ。
【請求項３】
モップ洗浄部と、回転脱水カゴを有する洗浄バケツであって、
前記脱水カゴは、請求項１または２に記載された清掃モップのモップヘッドを収容可能な大きさであり、
前記脱水カゴの駆動軸延長方向に、前記モップヘッドを軸支する部分を設けた事を特徴とする洗浄バケツ。
【請求項４】
前記回転カゴの周囲に水跳ね防止部材を設けた事を特徴とする請求項３に記載の洗浄バケツ。
【手続補正２】
【補正対象書類名】明細書
【補正対象項目名】全文
【補正方法】変更
【補正の内容】
【発明の詳細な説明】
【発明の名称】清掃モップ及びその洗浄バケツ
【技術分野】
【０００１】
本発明は、矩形のモップヘッドを有する清掃モップ及びその清掃モップを回転洗浄するための洗浄バケツに関するものである。
【背景技術】
【０００２】
従来、たとえば特許文献１に開示されているように、多数のモップ糸束を円盤形状のモップヘッドに装着し、モップヘッドを回転させながら床面等を掃除する回転清掃モップが知られている。しかしながら、このような円盤形状のモップヘッドは部屋の隅、家具の隙間、家具の下等にモップが充分に行き届かず、汚れやゴミが残ることもある。
【０００３】
また、特許文献２、特許文献３に開示されているように、モップヘッドが矩形となっている清掃モップも知られているが、ヘッド部に清掃シート又はモップを取り付ける構造であるため、清掃シート又はモップを交換する手間やモップを手洗いする手間が掛かるという問題がある。また、ヘッド部に連結しているモップ柄が、一方向にしか傾倒しないものにあっては、ヘッド部の向きを変えることができないため、狭い場所の清掃が不便である等の問題もある。
【０００４】
一方、前述の回転清掃モップを洗浄するため、特許文献４に開示されているように、脱水カゴを備えたモップ洗浄バケツが知られているが、脱水の際に脱水カゴの回転伝動機構と連動したペダルを足で強く踏まなければならず、女性や高齢者には負担である等の問題がある。
【先行技術文献】
【特許文献】
【０００５】
【特許文献１】実用新案登録第３１１７２８２号公報
【特許文献２】特開平１０−２８６２０５号公報
【特許文献３】特許第３２２４７９９号公報
【特許文献４】実用新案登録第３１６０８４３号公報
【発明の概要】
【発明が解決しようとする課題】
【０００６】
本発明は、上述したような従来の課題を解決するために提案されたものであり、矩形のモップヘッドを有する清掃モップであって、この洗浄モップを容易に回転洗浄カゴで洗浄できるようにするとともに、モップヘッドの向きとモップ柄の角度を使用場所に応じて変えて清掃することができるような清掃モップ及びその洗浄バケツを提供することを目的とするものである。
【課題を解決するための手段】
【０００７】
上記課題を解決するため、本願発明に係る清掃モップは、矩形のモップヘッドと、モップヘッドに連結装置で連結されたモップ柄と、を有し、モップヘッドは、脱水カゴを備えた洗浄バケツの脱水カゴに収容可能な大きさであり、かつ前記脱水カゴに回転可能に軸支する部分が設けられる。
【０００８】
また、モップヘッドの上面部には、モップ柄が傾倒したときの逃げ凹部を形成してもよい。
【０００９】
さらに、本願発明に係る洗浄バケツはモップ洗浄部と、回転脱水カゴを有していて、脱水カゴは、清掃モップのモップヘッドを収容可能な大きさであり、脱水カゴの駆動軸延長方向に、モップヘッドを軸しする部分が設けられる。
【００１０】
また、清掃バケツには、回転カゴの周囲に水跳ね防止部材を設けてもよい。
【発明の効果】
【００１１】
本発明によれば、矩形のモップヘッドを有する清掃モップであって、この洗浄モップを容易に洗浄バケツの回転洗浄カゴで洗浄できるようにするとともに、モップヘッドの向きとモップ柄の角度を使用場所に応じて変えて清掃することができる等の効果を有する。
【図面の簡単な説明】
【００１２】
【図１】本発明の清掃モップの全体図である。
【図２】同じく本発明の清掃モップの全体断面図である。
【図３】本発明のモップ柄に設けられた着脱装置の断面図である。
【図４】本発明のモップ柄に設けられた回転ロック装置の断面図である。
【図５】本発明のモップヘッドの斜視図である。
【図６】本発明のモップヘッドの断面図である。
【図７】本発明のモップヘッドを構成する下面板体の底面図である。
【図８】本発明の清掃モップの使用状態斜視図である。
【図９】本発明の空拭き用モップを上面板体に装着した状態の斜視図である。
【図１０】本発明の洗浄バケツの全体斜視図である。
【図１１】本発明の洗浄バケツの全体断面図である。
【図１２】本発明の洗浄バケツの別の実施態様を示す全体断面図である。
【図１３】本発明の洗浄バケツのさらに別の実施態様を示す全体断面図である。
【発明を実施するための形態】
【００１３】
以下本発明の実施態様を添付図面に従って説明する。図１は本発明の清掃モップ７の全体図、図２はその断面図を示しており、１はモップ柄、２はモップ柄１の先端部に連結されたモップヘッドであり、モップ柄２は連結装置５においてモップヘッド５に対し２軸方向（クロス方向）に傾倒可能に連結されている。
【００１４】
モップ柄１は、図２に示すように、後端部にグリップ部１３が固定され下端部に脱着装置４が設けられたグリップ管１２と、このグリップ管１２がスライド可能となるように上端部に外挿された外管1０と、この外管１０がスライド可能となるように外挿された内管１１と、内管１１と外管１０とを内管１１を連結し、内管１１の回転をロックすることができる回転ロック装置３を備えている。なお、外管１０、内管１１及びグリップ管１２は、ここでは軽量なアルミ管を使用している。
【００１５】
前記着脱装置４は、図３に示すようにグリップ管１２の下端部外周に固定された外周カバー１７と、外管１０の上端内部に装着された板バネ等の弾性部材１９と、弾性部材１９の一端部に装着された係止ボタン１８から構成されている。係止ボタン１８は、弾性部材１９により外管１０の内部から通孔１３ａを貫通してグリップ管１２の側面部から弾性的に出没可能となっており、外周カバー１７の一側面部に形成された係止孔１７ａに係入可能となっている。
【００１６】
外管１０にグリップ管１２を連結するときは、係止ボタン１８を指等で押し外管１０の内部方向に没入させた状態とした後、グリップ管１２の下端部を外管１０の上端部に外挿し、外周カバー１７の係止孔１７ａを係止ボタン１８の位置に合わせると、係止ボタン１８が係止孔１７ａから弾性的に突出し、係止ボタン１８が係止孔１７ａに係止される。これにより、グリップ管１２は外管１０に装着され、上下方向及び軸方向の動きが規制されことになる。なお、グリップ管１２を外管１０から取り外すときは、係止ボタン１８を押し付けた状態でグリップ管１２を引き上げると、係止孔１７と係止ボタン１８の係合か解除され、容易に取り外すことができる。
【００１７】
前記外管１０の上端内部には、軸方向にスクリュー状に形成された駆動軸１５が挿入されている。駆動軸１５は、その上端部が外管１０の上端内部に固定された保持部材１６に保持されており、その長さは下端部が内管１１の上端部に至る長さとなっている。
【００１８】
前記内管１１の上端部には、図４に示すように第１係合ユニット体２０と第２係合ユニット体３０が固定されている。第１係合ユニット体２０は、保持筒２１と係合筒２２とスペーサ２３から構成されており、保持筒２１の外周にはフランジ部２１ａが突設され、係合筒２２の内部には、前記駆動軸１５と係合する円弧状の係合爪部２２ａが軸長方向に１又は複数形成されている。
【００１９】
第１係合ユニット体２０の保持筒２１は、内管１１の上端内部に固定され、フランジ部２１ａが内管１１の上端縁部と接した状態となっている。また、保持筒２１の内部には係合筒２２が固定され、保持筒２１の上部フランジ部２２ｂが保持筒２２の上端縁部と接した状態となっている。スペーサ２３は、保持筒２１の外周面と外管１０の内周面の間に介装されている。
【００２０】
第２係合ユニット体３０は、第１係合ユニット体２０と軸長方向に離れて設けられており、保持筒３１と、その保持筒３１内に保持されている係合筒３２とから構成されている。係合筒３２の内部には前記スクリュー状の駆動軸１５と係合する円弧状の係合爪部３２ａが軸長方向に１又は複数形成されている。３４は駆動軸１５の下端部に固定されたコマ部材であり、内管１１の内部をスライドし、駆動軸１５を引き上げたときに保持筒３１の下端部と干渉するようになっている。
【００２１】
内管１１に固定されている前記係合爪部２２ａ，３２ａと、外管１０に固定されているスクリュー状の駆動軸１５は、外管１０を内管１１にスライドさせて駆動軸１５を下方に移動させると、スクリュー部分が各係合爪部２２ａ，３２ａと係合して内管１１が一方向に回転し、逆に駆動軸１５を上方に移動させると係合爪部２２ａ，３２ａとの係合が解除され、内管１１が回転しないようになっている。
【００２２】
内管１１と外管１０の回転ロック装置４は、図４に示すように、締付管４１と、この締付管４１の外側下部に螺合される操作管４２から構成されている。締付管４１は、外管１０の下端外周面部が挿嵌される上半部４１ａと、内管１１の上端外周面部が挿嵌される下半部４１ｂを有しており、下半部４１ｂの外面部には雌ネジ４１ｃが形成されている。また、操作管４２は下方に向かって縮径する円錐形状となっており、内面部には前記雌ネジ４１ｃと螺合する雄ネジ４２ｃが形成されている。なお、締付管４１の外面部の一部にはストッパ部４１ｄが突設されており、操作管４２の上端部の一部には、これと干渉する位置に凸部４２ａが突設されている。
【００２３】
このような回転ロック装置４は、操作管４２が円錐形状となっているため、操作管４２を一方に旋回すると操作管４２が締め付けられ、これに伴って内管１１の前記第２係合ユニット体３０の位置が締め付けられる。このため係合筒３２の係合爪部３２ａが駆動軸１５のスクリューを押圧し、駆動軸１５及び該駆動軸が固定されている外管１０の上下動がロックされる。ロックを解除するときは操作管４２を他方に旋回すると（操作管凸部４２ａが締付管ストッパ部４１ｂに接触するまで旋回する）、操作管４２による締付管４１と内管１１の締め付けが緩み、駆動軸１５及び外管１０の上下動が可能となる。
【００２４】
前記モップ柄１の下端部には図５に示すように連結装置５によりモップヘッド２が２軸方向（クロス方向）に傾倒可能に装着されている。モップヘッド２は、平面形状が略矩形となっており、図５及び図６に示すように上面板体５０と下面板体６０とから構成され、下面板体６０が上面板体５０の下部に着脱可能に装着されている。
【００２５】
上面板体５０には中央部に軸受部５１が立設されており、この軸受部５１に中間軸体５２が上面板体５０の幅方向の一側方向に傾倒可能となるように枢着されている。また、中間軸体５２には、連結管５３の下端部が上面板体５０の長さ方向の両側に傾倒可能となるように枢着されている。本実施形態では、これら軸受部５１、中間軸体５２及び連結管５３により連結装置５が構成されている。
【００２６】
軸受部５１及び中間軸体５２の内部には、図６に示すように、後述する洗浄バケツの脱水カゴに立設された支持軸１１４を挿入するための挿入孔５１ａ，５２ａが軸方向に連通して形成されている。軸受部５１と中間軸体５２とは、図６に示すように中間軸体５２の内面側に形成された凸軸５２ｂが、軸受部５１の側面部に開口された軸孔５１ｂに挿入することにより中間軸体５２が傾倒可能に枢支されている。また、中間軸体５２と連結管５３も、図５に示すように中間軸体５２の上部側面部に形成された凸軸５２ｃが連結管５３の下端側面部に開口された軸孔５３ａに挿入することにより連結管５３が傾倒可能に枢支されている。なお、連結管５３には前記モップ柄１（内管１１）の下端部が挿入され、ネジ孔５３ｂから止めネジ（図示せず）を螺入して止着している。
【００２７】
図５に示すように、上面板体５０の長さ方向中央部の一方の側縁部には、中間軸体５２と対応する位置に逃げ凹部５０ａが形成されており、中間軸体５２は逃げ凹部５０ａまで傾倒できるようになっている。また上面板体５０の軸受部５１の長さ方向両側部近くには、後述する下面板体６０の係止レバー６０ａの係止孔５０ｂがそれぞれ形成されている。
【００２８】
下面板体６０には、図６に示すように、前記係止孔５０ｂと対応する位置に係止レバー６０ａが立設されている。また下面板体６０の底面部には、図７に示すように、周縁方向に複数のモップ糸装填孔６０ｂが開口され、これらモップ糸装填孔６０ｂに複数本束ねたモップ糸７０（図８参照）が圧入され固着ている。
【００２９】
この下面板体６０を上面板体５０に装着するときは、係止レバー６０ａを上面板体５０の係止孔５０ｂに挿入すると、係止レバー６０ａがその反発力により係止孔５０ｂの縁部と係合するため、上面板体５０に装着することができる。下面板体６０を取り外すときは、係止レバー６０ａを中心方向（連結装置５方向）に引き寄せると係止孔５０ｂとの係合を解除することができる。
【００３０】
図８は、上述した清掃モップ７の使用状態図を示したものであり、モップヘッド２の上面板体５０に、モップ糸を固着した下面板体６０が装着されており、通常は水拭きのときに使用される。この清掃モップ７は、連結装置５において中間軸体５２を上面板体５０の幅方向に対して直角となるまで傾倒させることができ、連結管５３を中間軸体５２の傾倒方向に対して直交方向に傾倒させることができる。このためモップ柄１をモップヘッド２に対して２軸方向に傾倒させながら清掃することができ、使用場所に応じて自在にモップヘッド２を移動させることができる。
【００３１】
床面や家具等を空拭きするときは、モップ糸を固着した下面板体６０を上面板体５０から取り外し、図９に示すような空拭き用モップ８０を上面板体５０に被せて使用する。空拭き用モップ８０は、下面部全体に空拭きに適したモップ糸８０ａが固着されており、上面部の長さ方向両側部に袋部８０ｂが設けられている。そして、袋部８０ｂに上面板体５０の長さ方向両端部を差し込んで空拭き用モップ８０を装着するものである。
【００３２】
前述の清掃モップ７は、水拭き用モップとして使用した場合（図８の使用状態）は、図１０及び図１１に示したような洗浄バケツ１００により洗浄することができる。洗浄バケツ１００は、有底バケツ本体１０１の内部の一側に脱水カゴ１０２が回転可能に設けられ、その隣の空間部がモップ洗浄部１０３となっている。なお、洗浄バケツ１００は把手１０４により持ち運びが可能である。
【００３３】
脱水カゴ１０２は、図１１に示すように、基台部１１０の中央部に立設された駆動軸１１１に枢着されている。脱水カゴ１０２の中央部には円錐形状の保持部１１３が形成されており、この保持部１１３の底部に前記駆動軸１１１の軸受部１１２がネジ止め等で固定されるとともに、保持部１１３の上端部には支持軸１１４が固定されている。この支持軸１１４は、ここでは軸受部５１の挿通孔５１ａと中間軸体５２の挿入孔５２ａを通って連結管５３の下端部に形成された凹部５３ｃ（図６参照）に達する長さとなっている。
【００３４】
洗浄バケツ１００には、脱水カゴ１０２から離した位置に水跳ね防止部材１１５が設けられている。水跳ね防止部材１１５は、脱水カゴ１０２のモップ洗浄部１０３側を覆う側面板部１１５ａと、脱水カゴ１０２の底面側を覆う底面板部１１５ｂ（円板形状）を有する形状となっており、底面板部１１５ｂが基台部１１０にネジ止め等により固定されている。この水跳ね防止部材１１５を設けることにより、脱水カゴ１０２で清掃モップ７のモップを回転洗浄する際に、周囲に水が飛び散るのを防止することができる。
【００３５】
なお、側面板部１１５ａには、図１０に示すように上端部に切欠部１１６ａが形成されたガイド片１１６が設けられており、モップ洗浄部１０３で清掃モップ７を洗浄するときに、モップ柄１を切欠部１１６ａにガイドさせて上下動させたり、モップ柄１を立て掛けたり、清掃モップ７をモップ洗浄部１０３から引き上げる際にモップが底面板部１１５ｂのコーナー部に引っ掛からないようにしている。
【００３６】
洗浄バケツ１００により清掃モップ７を洗浄するときは、洗浄バケツ１００に水を入れ、モップ洗浄部１０３で清掃モップ７を上下動させながらモップヘッド２のモップを洗浄する。その後、濡れたモップを脱水カゴ１０２で次の手順で脱水する。
【００３７】
まず、回転ロック装置３の操作管４２を回転ロック解除方向に回して、内管１１が外管１０に対して回転可能な状態にする。つぎに図１１に示すように、清掃モップ７のモップヘッド２を脱水カゴ１０２に収容し、脱水カゴ１０２に設けられた支持軸１１４に、清掃モップ７の連結装置５の内部に形成された挿通孔５１ａ，５２ａを挿入し、支持軸１１４の先端部が連結管５３の下端部に形成された凹部５３ｃに接触するまで清掃モップ７を押し込む。
【００３８】
この状態でモップ柄１のグリップ部１３を押し下げると、グリップ管１２と着脱装置４を介して連結している外管１０が内管１１をスライドして伸縮し、外管１０のスクリュー状の駆動軸１５が内管１１に設けられている第１及び第２係合ユニット体２０，３０の係合爪部２０ａ，３０ａと係合して内管１１が回転する。内管１１は連結装置５を介してモップヘッド２と連結されているためモップヘッド２も同時に回転する。これに伴い、モップ柄１の押し下げ力により脱水カゴ１０２の支持軸１１４が連結装置５の挿通孔５１ａ，５２ａと密接するため、脱水カゴ１０２も固定軸１１１を中心に回転する。このモップヘッド２の回転と脱水カゴ１０２の回転による遠心力によりモップヘッド２のモップが脱水される。
【００３９】
グリップ部１３を持って外管１０を引き上げるときは、駆動軸１５と係合爪部２０ａ，３０ａとの係合が解除されるため、内管１１は回転しない。この外管１０の上下動を必要回数繰り返すことにより、モップヘッド２と脱水カゴ１０２を連続的に回転させ、モップの脱水を行う。
【００４０】
なお、清掃モップ７を収納容器等に収納するときは、着脱装置４の位置でグリップ管１２を外管１０から取り外すことができるため便利である。
【００４１】
図１２は、本発明の洗浄バケツの別の実施態様を示しており、洗浄カゴ１０２の支持軸１１４ａの長さを、モップヘッド２に設けられた軸受部５１の挿入孔５１ａの先端開口部までの長さとした例である。この実施態様によれば、支持軸１１４ａの長さが図１１に示した支持軸１１４より短いため、モップヘッド２を洗浄カゴ１０２に収容する際に、モップヘッド２側の軸受部挿入孔５１ａを洗浄カゴ１０２側の支持軸１１４ａに短いストロークで挿入し又は引き抜くことができ、その着脱操作を簡単に行うことができる。その他のモップヘッド２、脱水カゴ１０２等の構成は上述と同じであるから、ここでは説明を省略する。
【００４２】
図１３は、本発明の洗浄バケツのさらに別の実施態様を示しており、洗浄カゴ１０２の支持軸１１４ｂの長さを、モップヘッド２に設けられた軸受部５１の挿入孔５１ａの先端開口部から突出させ、中間軸体５２の挿通孔５２ａにわずかに入り込んだ長さとした例である。この実施態様によれば、前述の図１２の実施態様の利点に加えて、支持軸１１４ｂが中間軸体５２の挿通孔５２ａにもわずかに入り込んでいるため、モップヘッド２が回転中に、モップヘッド２の軸受部５１と中間軸体５２の枢着部においてモップ柄１が傾倒したり、モップヘッド２が回転中に浮き上ったときの軸ブレ等を防止することができ、モップ洗浄を安定して行うことができる。その他のモップヘッド２、脱水カゴ１０２等の構成は上述と同じであるから、ここでは説明を省略する。
【００４３】
上述した実施態様は本発明の一例を示したに過ぎない。本発明の変形例としては、たとえばモップヘッド２の底面部に支持軸１１４に相当する軸部を設け、脱水カゴ１０２に軸部の挿入孔を設けるようにしても良い。また、上述した回転ロック装置、着脱装置４、連結装置５等の構成も、本発明の目的達成のために必要に応じて変更することができる。
【符号の説明】
【００４４】
１  モップ柄
２  モップヘッド
３  回転ロック装置
４  着脱装置
５  連結装置
７  清掃モップ
１０  内管
１１  外管
１５  駆動軸
２０  第１係合ユニット体
３０  第２係合ユニット体
４１  締付管
４２  操作管
５０  上面板体
５０ｂ  係止孔
５１  軸受部
５２  中間軸体
５３  連結体
６０  下面板体
６０ａ  係止レバー
６０ｂ  モップ装填孔
１００  洗浄バケツ
１０２  脱水カゴ
１０３  モップ洗浄部
１１４  支持軸
１１５  水跳ね防止部材